(57)【特許請求の範囲】
【請求項１】
足、足首及び脊椎に発生する複数の健康障害を予防するための矯正サンダルであって、
地面に接する外層部及び前記使用者の足に接する内層部の２層が形成されたソールと、前記ソールを使用者の足に固定するために取り付けられた６本のベルトと、を有し、
前記６本のベルトは前記使用者の足の甲を固定する４本のベルト及び前記使用者の足首を固定する２本のベルトを含み、
前記６本のベルトの各々は、高い摩擦を発生させるゴムにより形成され、前記各ベルトの両端部がそれぞれ前記ソールの端部を貫通することにより前記ソールの端部で摩擦により保持され、前記ソールの前記使用者の足側に配置される前記使用者の足を固定する部分及び前記ベルトの前記ソールの端部を貫通して前記ソールの地面に接する側に伸びる部分である１２本のベルト拡張部を含み、
前記ベルト拡張部の長さはそれぞれ１〜３センチメートルであり前記ベルト拡張部が地面と接触する際に摩擦を発生させて前記使用者の横滑りを予防し、
前記外層部は、ナイロン繊維と混合されたゴムにより形成され、前記使用者のつま先の位置に対応する前方から、前記使用者の踵の位置に対応する後方にかけて膨らんだ空洞部を有し、前記空洞部は、前記矯正サンダルを側方から見て前後方向かつ垂直方向に伸びる３つの仕切部によって４つのコンパートメントに分割され、前記４つのコンパートメントは、水平方向に配置された薄いゴム層によって２層に分割され、
前記内層部は、寒空、砂漠といった生活環境の気温及び気圧の変化下での粘着性の安定性を含む物理的な安定性を有する特別なソフトゲルで満たされた柔らかいゴムで形成されたインソールであり、前記使用者のソールにフィットするように人間工学的に予め型成型されており、形状が前記使用者の自重に応じて変形する、矯正サンダル。
【請求項２】
前記使用者の足を固定する前記ベルトの部分の長さは、前記ベルト拡張部を引き出したり押し込んだりすることで調節可能である、請求項１に記載の矯正サンダル。
【発明の詳細な説明】
【技術分野】
【０００１】
本発明は、足、足首及び脊椎に発生する複数の健康障害を予防するための矯正サンダルに関する。
【背景技術】
【０００２】
現在のマーケットにおいて販売されているフットウェア及びフットケア商品には、様々な健康問題を予防することを目的とした、矯正靴または足、足首、脊椎の痛みの緩和及びサポートを目的とした矯正具が含まれる。足の痛みの緩和及びサポートを効果的に行うためには、着用者のソールに人間工学的にフィットする矯正靴及び矯正具のカスタム化が必要とされているが、このようなカスタム化を行うには時間を要する。さらに、このような矯正靴及び矯正具は、一般的に弾力性が弱い材料によって成形されているため、地面反力を効果的に吸収せず、健康障害を予防する機能が低下される。同一形状で量産されている矯正靴及び矯正具はカスタム化されていないため、特定の着用者のソールにはフィットせず、足、足首、脊椎の痛みの緩和及び適切なサポートを効果的に行うことができない。
【０００３】
米国特許第4,314,412号は、着用者のソールにフィットするように構成された矯正靴を開示しているが、このような矯正靴は特定の着用者のためのカスタム化が行われておらず、特定の着用者のソールにはフィットしない。
米国特許第7,367,074号は、フィットする靴のインサートを形成するために、モールド成形によってカスタム化された矯正靴のインサートの製造方法およびその装置について開示している。しかし、靴のインサートを成形するためには時間を要する。また、靴のインサートは熱可鍛性の合成樹脂によって作られているため、弾力性が弱く、地面反力を充分に吸収せず、足、足首、脊椎の健康障害を軽減出来ない。
【先行技術文献】
【特許文献】
【０００４】
【特許文献１】米国特許第4,314,412号明細書
【特許文献２】米国特許第7,367,074号明細書
【発明の概要】
【発明が解決しようとする課題】
【０００５】
従って、着用者のソールにフィットするように人間工学に基づいて成形され、痛みの緩和並びに足、足首及び脊椎をサポートし、かつ時間をかけることなく、各着用者の特定のソールにフィットするようにカスタム化された、矯正履物の発明が必要である。
このような矯正履物は、異なる使用環境においても耐久性を有していなければならない。
矯正履物によって、足、足首、脊椎に対する正しいサポートを与えることにより、回内足、回外足、足関節骨折、椎間板ヘルニア、脊柱前弯症及び脊柱後弯症など、身体への障害を防ぐことができる。
【課題を解決するための手段】
【０００６】
本発明による矯正履物は、ソールと、ソールを使用者の足に固定するために取り付けられたベルトと、を有する、矯正サンダルである。サンダルには６本のベルトが取り付けられており、そのうち４本は使用者の足の甲を固定し、２本は使用者の足首を固定する。ベルトはソールの端部を貫通し、ソールの裏面に１２本のベルト拡張部を形成する。
ベルト拡張部の長さは、それぞれ１〜３センチメートルである。
【０００７】
ソールは、外層部及び内層部の２層によって形成される。外層部の素材は、ナイロン繊維と混合されたゴムである。使用されている素材のお陰で、外層部は複数の特長が見られる。第１に、外層部によって地面との摩擦が大きくなり、滑り止めとして作用するため、使用者は異なる地形を安全に歩くことが可能となる。第２に、外層部によって先が鋭い物質の貫通を防止できるため、サンダルは使用者の足を安全に保つ役割を持つ。第３に、水中、砂漠または岩石地帯などの異なる地形において使用しても、外層部は強い耐久性が保たれる。外層部には、使用者のつま先の位置に対応する前方から、使用者の踵の位置に対応する後方に向かって膨らんだ空洞部が形成される。空洞部は、垂直方向に伸びる３つの仕切部によって、４つのコンパートメントに分割される。各コンパートメントは、水平方向に配置された薄いゴム層によって、２層に分割される。薄いゴム層は高い弾性を有しているため、サンダルを着用して歩くまたは走る際に掛かる地面反力を吸収し、足、足首、脊椎に掛かる力を軽減することにより、身体の部分へのダメージを予防する。
【０００８】
内層部は、着用者の足裏と接触する部分である。内層部は、実際には柔らかいゴムで形成された、足の大きさと同等のサイズのインソールである。インソールは、３つのコンパートメントに分割される：第１コンパートメントは、足裏のアーチ部に対応する部分である；第２コンパートメントは、足指の裏側の空間に対応する部分である；第３コンパートメントは、第１及び第２コンパートメントに含まれないインソールの部分である。インソールにおいて、例として全てのコンパートメントには、粘着性及び気温及び気圧の変化への対応性など、物理的な安定性が高い特別なソフトゲルが挿入されているため、寒空、砂漠または着用者の重さによっては、内層部の柔軟性は影響されない。内層部は、着用者のソールにフィットするように、人間工学的に予め型成型されている。尚、内層部は柔らかいゴムによって設計されており、かつ特別なソフトゲルが挿入されているため、前記内層部の形状は、着用者の自重に応じて着用者のソールに適合するように成形される。内層部の特長は、着用者の足にぴったりと合うように、カスタム化された矯正靴または矯正具を成形する必要が無いことである。外層部が着用者の足にぴったりと合うことによって、着用者の足に掛かる負荷が分散され、回内足及び回外足等を予防することができる。
【０００９】
ベルトは高い摩擦を発生させるゴムによって成形されるため、サンダル本体は着用者の足元をしっかりと固定する。１２本のベルト拡張部は、サンダル本体が地面と接触する際に摩擦を発生させ、着用者の横滑りを予防する。着用者の足元をしっかりと固定するために、着用者の足を固定するベルトの部分の長さは、ベルトの１２本のベルト拡張部を引き出したり押し込んだりすることで調節可能である。さらに、ベルトは交換可能であるため、サンダルは長く着用することができ、経済的である。
【図面の簡単な説明】
【００１０】
以下の詳細な説明を参考にすることにより、本発明の内容は更に理解される。詳細な説明は以下の図面を参照する。
【００１１】
【図１】本発明に基づき、足、足首及び脊椎における複数の健康障害を予防するための矯正サンダルの左斜視図である。
【図２】図１の矯正サンダルの右斜視図である。
【図３】図１に図示された矯正サンダルの背面図である。
【図４】図１に図示された矯正サンダルの正面図である。
【図５】図１に図示された矯正サンダルの底面図である。
【図６】図１に図示された矯正サンダルの上面図である。
【図７】図１及び図２に図示された矯正サンダルのＡ−Ａ’断面図である。
【図８】図１及び図２に図示された矯正サンダルのＢ−Ｂ’断面図である。
【発明を実施するための形態】
【００１２】
本発明は、足、足首及び脊椎に発生する複数の健康障害を予防するための矯正サンダルに関する。
【００１３】
本発明によると、図１に示される矯正サンダル本体１００は、ソール２００と、ソール２００を使用者の足に固定するために取り付けられたベルト３００と、を有する。サンダル３００には６本のベルトが取り付けられており、そのうち４本は使用者の足の甲を固定し、２本は使用者の足首を固定する。図５に示される通り、各ベルトはソール２００の端部を貫通し、ソールの下部に１２本のベルト拡張部３０１を形成する。ベルト拡張部３０１の長さは、それぞれ１〜３センチメートルである。
【００１４】
図７及び図８に示される通り、ソール２００は、外層部２１１及び内層部２２１の２層によって形成される。外層部２１１の素材は、ナイロン繊維と混合されたゴムである。使用されている外層部のお陰で、外層部２１１には複数の特長を有する。第１に、外層部によって地面との摩擦が大きくなり、滑り止めとして作用するため、使用者は異なる地形を安全に歩くことができる。第２に、外層部によって先が鋭い物質の貫通を防止できるため、サンダルは使用者の足を安全に保つことができる。第３に、水中、砂漠または岩石地帯などの異なる地形において使用しても、強い耐久性が保たれる。
【００１５】
外層部２１１は、使用者のつま先の位置に対応する前方から、使用者の踵の位置に対応する後方に向かって膨らんだ空洞部２１２を有する。空洞部２１２は、垂直方向に伸びる３つの仕切部２１４によって、４つのコンパートメントに分割される。各コンパートメントは、水平方向に配置された薄いゴム層２１３によって、２層に分割される。薄いゴム層２１３は高い弾性を有しているため、サンダルを着用して歩くまたは走る際に掛かる地面反力を吸収するため、足、足首、脊椎に掛かる力を軽減し、身体の部分へのダメージを予防する。
【００１６】
内層部２２１は、着用者の足裏と接触する部分である。内層部２２１は、実際には柔らかいゴムで形成された、足の大きさと同等のサイズのインソール２２２である。インソール２２２は、３つのコンパートメントに分割される：第１コンパートメントは、足裏のアーチ部に対応する部分である；第２コンパートメントは、足指の裏側の空間に対応する部分である；第３コンパートメントは、第１及び第２コンパートメントに含まれないインソールの部分である。インソール２２２において、例として全てのコンパートメントには、粘着性及び気温及び気圧の変化への対応性など、物理的な安定性が高い特別なソフトゲル２２３が挿入されているため、寒空、砂漠または異なる着用者の異なる自重によっては、内層部２２１の柔軟性は影響されない。内層部２２１は、着用者のソールにフィットするように、人間工学的に予め型成型されている。尚、内層部２２１は柔らかいゴムによって設計されており、かつ特別なソフトゲルが挿入されているため、内層部２２１の形状は、着用者の自重に応じて着用者のソールに適合するように成形される。内層部２２１の特長は、着用者の足にぴったりと合うように、カスタム化された矯正靴または矯正具を成形する必要が無いことである。外層部２１１が着用者の足に合うことによって、着用者の足に掛かる負荷を分散し、回内足及び回外足等を予防することができる。
【００１７】
ベルト３００は高い摩擦を発生させるゴムによって成形されるため、サンダル本体１００は着用者の足元をしっかりと固定する。ベルト３００の１２本のベルト拡張部３０１は、サンダル本体１００が地面と接触する際に摩擦を発生させ、着用者の横滑りを予防する。着用者の足元をしっかりと固定するために、着用者の足を固定するベルトの部分の長さは、ベルト３００の１２本のベルト拡張部３０１を引き出したり押し込んだりすることで調節可能である。さらに、ベルト３００は交換可能であるため、サンダル１００は長く着用することができ、経済的である。
【図１】
0006285942.tif 000002
【図２】
0006285942.tif 000003
【図３】
0006285942.tif 000004
【図４】
0006285942.tif 000005
【図５】
0006285942.tif 000006
【図６】
0006285942.tif 000007
【図７】
0006285942.tif 000008
【図８】
0006285942.tif 000009